【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
容器に装着され、容器の内容物を注出するための注出口を有するキャップ本体と、注出口を開閉すべく、キャップ本体に着脱される蓋体と、キャップ本体及び蓋体を連結する弾性体とを備え、弾性体は、蓋体がキャップ本体に取り付けられた際に、弾性変形すると共に、蓋体がキャップ本体から取り外された際に、復元し、キャップ本体から蓋体を離反させるキャップにおいて、
キャップ本体及び蓋体を連結する連結体を備え、連結体は、第１のヒンジ機構を介して、キャップ本体に接続されると共に、第１のヒンジ機構の軸心と平行な軸心を有する第２のヒンジ機構を介して、蓋体に接続されることを特徴とするキャップ。
【請求項２】
弾性体及び連結体は、キャップ本体に接続される各端部がヒンジ機構の軸心方向と直交する方向において離間して配置される請求項１に記載のキャップ。
【請求項３】
注出口は、キャップ本体の一端側に配置され、弾性体は、連結体よりも一端側でキャップ本体に接続される請求項２に記載のキャップ。
【請求項４】
注出口は、キャップ本体の一端側に配置され、連結体は、弾性体よりも一端側でキャップ本体に接続される請求項２に記載のキャップ。
【請求項５】
キャップ本体は、蓋体が接近する際に、連結体が第１のヒンジ機構により所定角度以上回動するのを規制すべく、連結体を係止する係止部を備え、係止部は、連結体を係止する状態において、第２のヒンジ機構を支持する支持部を備える請求項１〜４の何れか１項に記載のキャップ。
【請求項６】
内容物を収容する容器と、容器に固定されるキャップとを備えるキャップ付容器において、
キャップは、容器の内容物を注出するための注出口を有するキャップ本体と、注出口を開閉すべく、キャップ本体に着脱される蓋体と、キャップ本体及び蓋体を連結する弾性体と、キャップ本体及び蓋体を連結する連結体とを備え、
弾性体は、蓋体がキャップ本体に取り付けられた際に、弾性変形すると共に、蓋体がキャップ本体から取り外された際に、復元し、キャップ本体から蓋体を離反させ、
連結体は、第１のヒンジ機構を介して、キャップ本体に接続されると共に、第１のヒンジ機構の軸心と平行な軸心を有する第２のヒンジ機構を介して、蓋体に接続されることを特徴とするキャップ付容器。
【手続補正２】
【補正対象書類名】明細書
【補正対象項目名】発明の名称
【補正方法】変更
【補正の内容】
【発明の名称】キャップ及びキャップ付容器
【手続補正３】
【補正対象書類名】明細書
【補正対象項目名】０００１
【補正方法】変更
【補正の内容】
【０００１】
本発明は、キャップ本体及び蓋体を連結する弾性体により、キャップ本体から蓋体を離反可能に構成されるキャップ及びキャップ付容器に関する。
【手続補正４】
【補正対象書類名】明細書
【補正対象項目名】０００６
【補正方法】変更
【補正の内容】
【０００６】
よって、本発明は、斯かる事情に鑑み、弾性体が復元した際に、蓋体とキャップ本体との離間距離を大きくできるにも関わらず、蓋体がキャップ本体に取り付けられた際に、キャップの容積が大きくなることを抑制できるといった、フレキシブルな設計を行なえるキャップ及びキャップ付容器を提供することを課題とする。
【手続補正５】
【補正対象書類名】明細書
【補正対象項目名】０００７
【補正方法】変更
【補正の内容】
【０００７】
本発明に係るキャップは、容器に装着され、容器の内容物を注出するための注出口を有するキャップ本体と、注出口を開閉すべく、キャップ本体に着脱される蓋体と、キャップ本体及び蓋体を連結する弾性体とを備え、弾性体は、蓋体がキャップ本体に取り付けられた際に、弾性変形すると共に、蓋体がキャップ本体から取り外された際に、復元し、キャップ本体から蓋体を離反させるキャップにおいて、キャップ本体及び蓋体を連結する連結体を備え、連結体は、第１のヒンジ機構を介して、キャップ本体に接続されると共に、第１のヒンジ機構の軸心と平行な軸心を有する第２のヒンジ機構を介して、蓋体に接続されることを特徴とする。
また、本発明に係るキャップ付容器は、内容物を収容する容器と、容器に固定されるキャップとを備えるキャップ付容器において、キャップは、容器の内容物を注出するための注出口を有するキャップ本体と、注出口を開閉すべく、キャップ本体に着脱される蓋体と、キャップ本体及び蓋体を連結する弾性体と、キャップ本体及び蓋体を連結する連結体とを備え、弾性体は、蓋体がキャップ本体に取り付けられた際に、弾性変形すると共に、蓋体がキャップ本体から取り外された際に、復元し、キャップ本体から蓋体を離反させ、連結体は、第１のヒンジ機構を介して、キャップ本体に接続されると共に、第１のヒンジ機構の軸心と平行な軸心を有する第２のヒンジ機構を介して、蓋体に接続されることを特徴とする。
【手続補正６】
【補正対象書類名】明細書
【補正対象項目名】０００８
【補正方法】変更
【補正の内容】
【０００８】
本発明に係るキャップ及びキャップ付容器によれば、キャップ本体及び蓋体を連結する連結体が第１のヒンジ機構を介してキャップ本体に接続されるため、連結体が第１のヒンジ機構により回動すると、連結体及び蓋体が一体的になってキャップ本体と接離する。そして、連結体が第１のヒンジ機構の軸心と平行な軸心を有する第２のヒンジ機構を介して蓋体に接続されるため、蓋体が第２のヒンジ機構により回動すると、蓋体がキャップ本体と接離する。したがって、例えば、蓋体がキャップ本体に取り付けられた際に、連結体がキャップ本体に接近した状態となるように、設計することもできる。
【手続補正７】
【補正対象書類名】明細書
【補正対象項目名】００１７
【補正方法】変更
【補正の内容】
【００１７】
以上の如く、本発明に係るキャップ及びキャップ付容器によれば、弾性体が復元した際に、蓋体とキャップ本体との離間距離を大きくできるにも関わらず、蓋体がキャップ本体に取り付けられた際に、キャップの容積が大きくなることを抑制できるといった、フレキシブルな設計を行なえるという優れた効果を奏する。
【手続補正８】
【補正対象書類名】明細書
【補正対象項目名】００５４
【補正方法】変更
【補正の内容】
【００５４】
蓋体１２０は、円筒状に形成されて注出部１１２を収容する収容部１２１と、注出口１１２ａを封止する封止部１２２とを備える。また、蓋体１２０は、収容部１２１から径方向に突出し、弾性体１３０及び連結体１４０，１４０が接続される接続片１２３と、キャップ本体１１０から取り外される際に、操作される鍔部１２４とを備える。なお、収容部１２１は、注出部１１２及び係合部１１４を内挿する際に、係合部１１４に係合されるべく、径方向内方に突出する被係合部１２１ａを備える。
【手続補正９】
【補正対象書類名】明細書
【補正対象項目名】００６１
【補正方法】変更
【補正の内容】
【００６１】
その後、図８（ｃ）に示すように、弾性体１３０が全体的に湾曲状となるように復元しようとするため、蓋体１２０、弾性体１３０及び各連結体１４０が一体的になって、さらに回動し、キャップ本体１１０からさらに離反する。そして、図８（ｄ）に示すように、弾性体１３０が湾曲状に復元すると、弾性体１３０及び各連結体１４０は、均衡した位置で蓋体１２０を保持する。即ち、弾性体１３０及び各連結体１４０は、キャップ本体１１０から離反した位置で蓋体１２０を保持する。
【手続補正１０】
【補正対象書類名】明細書
【補正対象項目名】００６８
【補正方法】変更
【補正の内容】
【００６８】
なお、本発明に係るキャップ及びキャップ付容器は、上記した実施の形態に限定されるものではなく、本発明の要旨を逸脱しない範囲内において種々変更を加え得ることは勿論である。また、上記した複数の実施形態の構成や方法等を任意に採用してもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。